(57)【要約】【課題】部品点数が少なく、簡易な構成で容易に製造可能であり、かつ、表面のめっきが剥がれ難く耐久性に優れる多接点型端子を提供する。【解決手段】多接点型端子であって、多角筒状の角筒部と、角筒部の各側壁から延出され、角筒部の内側において丸棒状の相手側端子の外周面に対して弾性接触される複数の弾性接触片と、が一体的に設けられている。複数の弾性接触片は相手側端子との嵌合方向の長さ寸法が同等とされるとともに、相手側端子との嵌合方向において異なる位置に配されている。【選択図】図４
2015099698.tif 000002
【特許請求の範囲】
【請求項１】
多角筒状の角筒部と、
前記角筒部の各側壁から延出され、前記角筒部の内側において丸棒状の相手側端子の外周面に対して弾性接触される複数の弾性接触片と、が一体的に設けられていることを特徴とする多接点型端子。
【請求項２】
前記複数の弾性接触片は前記相手側端子との嵌合方向の長さ寸法が同等とされるとともに、前記相手側端子との嵌合方向において異なる位置に配されていることを特徴とする請求項１に記載の多接点型端子。
【請求項３】
前記角筒部には、前記弾性接触片の基端部に隣接して前記弾性接触片の延出方向に沿って延出された拡張部が設けられていることを特徴とする請求項１または請求項２に記載の多接点型端子。
【請求項４】
前記弾性接触片は、前記角筒部の側壁のうち前記相手側端子との嵌合方向の前端縁から延出されるとともに折り返し部により後方側に向けて折り返されており、前記拡張部は、前記折り返し部よりも前方側まで延出されていることを特徴とする請求項３に記載の多接点型端子。
【請求項５】
前記角筒部は、板状部材を角筒状に折り曲げるとともに、その折り曲げ方向の端縁同士を固定することで開き止めされていることを特徴とする請求項１ないし請求項４のいずれか一項に記載の多接点型端子。
【発明の詳細な説明】
【技術分野】
【０００１】
本発明は、多接点型端子に関する。
【背景技術】
【０００２】
電気自動車等に用いられる大電流用の接続端子として、多数の接点で端子を接触させ、接触抵抗を低減して発熱量を低く抑えることが可能な、多接点型端子が知られている。
【０００３】
多接点型端子の一例として、例えば特許文献１に記載された端子が知られている。この端子は、平板状の雄タブに対して複数の弾性接触片を接触させるものである。複数の弾性接触片は、扁平な四角筒状をなす基部の天井板および底板の前端縁から前方側に向けて対向するように、かつ、片持ち状に延出して設けられている。これらの弾性接触片は、別体のカバーにより覆われ、保護されている。
【０００４】
また、多接点型端子の他の例として、例えば特許文献２に記載された端子が知られている。この端子は、断面円形の棒状をなす丸ピンの外周面に対して、複数の弾性接触片を接触させるものである。複数の弾性接触片は、円筒状をなす筒部の前端縁から前方側に向けて片持ち状に延出して設けられている。
【先行技術文献】
【特許文献】
【０００５】
【特許文献１】特開２０１２−１６４４８６号公報
【特許文献２】特開２０１２−２２７０９０号公報
【発明の概要】
【発明が解決しようとする課題】
【０００６】
ところで、上記した特許文献１の多接点型端子においては、雄タブと弾性接触片とは線接触する構成であるから、雄タブが対向する弾性接触片の間に正規の嵌合姿勢から傾いて挿入された場合、雄タブが弾性接触片に対して局所的に強く押し付けられる箇所があったり、逆に、雄タブと弾性接触片とが部分的に接触不良となる箇所が生じる虞がある。またこのように雄タブが弾性接触片に対して局所的に強く押し付けられる場合には、弾性接触片のめっきが摩耗により剥がれ易くなり、耐久性を損ねるという問題がある。
【０００７】
一方、特許文献２に示す丸ピン用の多接点型端子では、複数の弾性接触片は丸ピンの外周面に沿う形状とされている。これらの弾性接触片は、円筒状の部材にスリットを入れて絞り加工を行うことにより製造されるので、寸法精度が出し難く、製造が難しいという問題がある。
【０００８】
さらに、いずれの多接点型端子においても、弾性接触片を保護するカバーを設ける際には、部品点数が増加するとともに構造が複雑になり、組み立て作業が煩雑になるという問題がある。
【０００９】
本発明は上記のような事情に基づいて完成されたものであって、相手側端子に対して複数の弾性接触片を接触させる多接点型端子において、部品点数が少なく、簡易な構成で容易に製造可能であり、かつ、表面のめっきが剥がれ難く耐久性に優れる多接点型端子を提供することを目的とする。
【課題を解決するための手段】
【００１０】
上記課題を解決するためになされた本発明の多接点型端子は、多角筒状の角筒部と、前記角筒部の各側壁から延出され、前記角筒部の内側において丸棒状の相手側端子の外周面に対して弾性接触される複数の弾性接触片と、が一体的に設けられているところに特徴を有する。
【００１１】
本発明の多接点型端子によれば、弾性接触片は角筒部の内側において相手側端子と接続される構成であるから、角筒部が弾性接触片を保護するカバーの役割を果たす。しかも、弾性接触片と角筒部とは一体とされているから、部品点数を少なくすることができる。
【００１２】
また、本発明の多接点型端子は曲げ加工により製造可能であるから、従来の丸ピン用の多接点型端子のように絞り加工を行う必要がなく、容易に製造可能である。また、曲げ加工は寸法管理も容易であるから、接触圧の調整が容易であり、表面のめっきが剥がれ難い多接点型端子とすることができる。
【００１３】
本発明の多接点型端子は、以下の構成を備えてもよい。
【００１４】
複数の弾性接触片は、相手側端子との嵌合方向の長さ寸法が同等とされるとともに、相手側端子との嵌合方向において異なる位置に配される構成としてもよい。
【００１５】
このような構成とした場合には、複数の弾性接触片は、相手側端子に対して長さ方向、すなわち、嵌合方向の異なる位置において接触することとなるため、相手側端子と傾いて嵌合されることが防止される。すなわち、相手側端子と正規の姿勢で嵌合されることとなるから、弾性接触片が局所的に相手側端子に強く擦りつけられることがなく、めっきがより剥がれ難くなる。
【００１６】
また、角筒部に、弾性接触片の基端部に隣接して弾性接触片の延出方向に沿って延出された拡張部を設ける構成としてもよい。
【００１７】
このような構成とすると、弾性接触片の基端部は拡張部により剛性が高まるから、相手側端子が挿入される際に、弾性接触片の基端部が相手側端子に押圧されて変形すること防止される。
【００１８】
また、弾性接触片は、角筒部の側壁のうち相手側端子との嵌合方向の前端縁から延出されるとともに折り返し部により後方側に向けて折り返され、拡張部は、折り返し部よりも前方側まで延出される構成としてもよい。
【００１９】
このような構成とすると、多接点型端子の前方側から相手側端子や機器が突き当てられた場合でも、前方側に延出された拡張部によって折り返し部が保護される。従って、弾性接触片の変形を防止することができる。
【００２０】
さらに、角筒部は、板状部材を角筒状に折り曲げるとともに、その折り曲げ方向の端縁同士を固定することで開き止めされる構成としてもよい。このような構成とすると、多接点型端子を容易に製造することができる。
【発明の効果】
【００２１】
本発明によれば、部品点数が少なく、簡易な構成で容易に製造可能であって、かつ、表面のめっきが剥がれ難く耐久性に優れる多接点型端子が得られる。
【図面の簡単な説明】
【００２２】
【図１】実施形態１の多接点型端子の斜視図
【図２】同じく多接点型端子の断面図
【図３】同じく多接点型端子を相手側端子と嵌合させた状態の断面図
【図４】実施形態２の多接点型端子の斜視図
【図５】同じく多接点型端子の断面図
【図６】同じく多接点型端子を相手側端子と嵌合させた状態の断面図
【図７】多接点型端子の正面図
【図８】多接点型端子の一部展開図
【発明を実施するための形態】
【００２３】
＜実施形態１＞
以下、実施形態１について、図１ないし図３を参照しつつ詳細に説明する。
【００２４】
本実施形態の多接点型端子は、電気自動車やハイブリッド自動車等の電力供給線等に用いられる大電流端子である。多接点型端子は、図１に示すように、丸棒状の相手側の雄端子１０を内部に嵌合可能な雌端子２０であって、雄端子１０の外周面に、雌端子２０に設けられた複数の弾性接触片３０を接触させる構成のものである。以下、各構成部材において、相手側端子との接続方向を前方とし、また、図２の上側を上方、下側を下方として説明する。
【００２５】
雄端子１０は、銅合金等の導電性に優れた金属材料により形成され、その一端は図示しない電線に接続され、他端側が丸棒状の接続部１１とされている。接続部１１の先端部には、やや縮径された案内面１１Ａが形成されている（図３参照）。
【００２６】
雌端子２０は、銅合金等の導電性に優れた金属板を所定形状にプレス加工することによって形成され、図１および図２に示すように、電線３８に接続される電線接続部２１と、雄端子１０の接続部１１に接続する本体部２３とが、繋ぎ部２２を介して前後に連なった形態をなしている。
【００２７】
本体部２３は、略七角筒状をなす角筒部２５と、角筒部２５の前方側の端縁から前方に向けて一体的に延出されるとともに、内側に向けて折り返された７つの弾性接触片３０とを有してなる。
【００２８】
角筒部２５は、平坦な金属板を断面略七角形状に曲げ加工することで略七角筒状に形成され、その曲げ方向の端縁同士を突き合わせるとともに係止部２６により係止することで、開き止めされている。係止部２６は、角筒部２５の曲げ方向における一端側から延出して設けられたロ字形状の係止片２７と、他端側の外面に突出するように切り起こし形成された係止凸部２８とから構成されている。角筒部２５は、七角筒状に折り曲げられた後、外側に向けて突出している係止凸部２８に係止片２７を外側から被せるように、やや屈曲させつつ外嵌させることにより、開き止めがなされる構成とされている。
【００２９】
角筒部２５の略七角筒状の各側壁の中央よりやや後方側には、内側に向けて突出する規制突部２９が切り起こし形成されている（図２参照）。これらの規制突部２９は、弾性接触片３０の過度な変形を規制するものである。７つの規制突部２９は、前後方向における同位置に配置されている。
【００３０】
ここで、略七角筒状の角筒部２５の各側壁を、係止片２６が設けられた側壁から順に２５Ａ，２５Ｂ，２５Ｃ，２５Ｄ，２５Ｅ，２５Ｆ，２５Ｇとすると、繋ぎ部２２は、２５Ｃ，２５Ｄ，２５Ｅの後端縁から後方に向けて延出されている。また、側壁２５Ｂ，２５Ｆの後端縁からは、後方に向けて補強部２４が延出形成されている。繋ぎ部２２と補強部２４とは、一体に形成されている。
【００３１】
一方、７つの弾性接触片３０は、角筒部２５の各側壁２５Ａ〜２５Ｇの前端縁から前方側に向けて延出されるとともに、前後方向における同位置（折り返し部３１とする）において角筒部２５の内側に折り返されてなる。弾性接触片３０は、図２に示すように、折り返し部３１によって内側に向けて折り返された後、先端側（後方側）に向けて斜め内側に延びるとともに、先端部が斜め外側に向けて延びるように屈曲した形状とされている。弾性接触片３０のうち内側に最も膨出した部分（屈曲部分）は、雄端子１０の接続部１１に点接触する接点部３２とされている。接点部３２は、角筒部２５内において、規制突部２９よりも後方側に位置するように設定されている。また弾性接触片３０の先端部３３は、角筒部２５の後端より前方側に位置するように寸法が設定されている。
【００３２】
さらに、各弾性接触片３０の幅寸法は、各側壁２５Ａ〜２５Ｇの幅寸法よりも小さく設定されている。
【００３３】
７つの弾性接触片３０は、長さ寸法、幅寸法、屈曲形状等、全て同形状に形成されている。
【００３４】
角筒部２５の前端縁のうち隣り合う弾性接触片３０の各延出部（基端部）の間には、前方側に向けて延びる拡張部３４が設けられている。角筒部２５は、これら拡張部３４において前後方向に沿って折り曲げられ、略七角筒状とされている。なお、プレス成形前の角筒部２５の曲げ方向における両端縁には、拡張部３４の半分の幅を有する端部拡張部３４Ａが設けられており、プレス成形によって端部拡張部３４Ａ同士を突き合わせることにより、他の拡張部３４と同等幅の拡張部３４を形成できるように構成されている。
【００３５】
上述した弾性接触片３０の折り返し部３１は、これら拡張部３４の前端より後方側に位置するように設定されている（図２参照）。
【００３６】
電線接続部２１は繋ぎ部２２の後端縁から後方に向けて延出されてなり、載置部３５と、載置部３５の両側縁部から斜め上方に向けて延びる一対のバレル部３６とから構成されている。
【００３７】
本実施形態の雌端子２０は上記構成であって、次に、雌端子２０の製造方法について説明する。
【００３８】
まず、所定形状に打ち抜かれた金属板の、弾性接触片３０に相当する部分を曲げ加工（プレス加工）することにより、弾性接触片３０を所定形状とする。そして、電線接続部２１および繋ぎ部２２を曲げ加工するとともに、拡張部３４に相当する位置において前後方向に沿って折り曲げて角筒部２５を形成し、折り曲げ方向における一端側に形成された係止凸部２８に対して外側から係止片２７を屈曲させつつ被せるように係止して開き止めする。これにより、図１に示す所定形状の雌端子２０が得られる。
【００３９】
次に、雄端子１０と雌端子２０との接続動作および作用効果について説明する。
【００４０】
まず、電線３８を電線接続部２１にかしめて接続した雌端子２０内に雄端子１０の接続部１１を挿入すると、接続部１１は、全ての弾性接触片３０を外側に向けて弾性変形させつつ、７つの接点部３２の間に割って入る。この時、隣り合う弾性接触片３０の間には角筒部２５から延出された拡張部３４が設けられており、各弾性接触片３０の基端部は、これらの拡張部３４により剛性が付与されているので、接続部１１の挿入に伴い、弾性接触片３０の基端部が持ち上がって角筒部２５の奥方（後方側）に押し込まれることが防止される。
【００４１】
また、弾性接触片３０は奇数（７つ）とされており、角筒部２５の径方向における一の弾性接触片３０の対称軸上には他の弾性接触片３０が配されていないので、接続部１１は、一の弾性接触片３０により、その弾性接触片３０と対向する角部（拡張部３４）に向けて押圧される。このような作用が７つのすべての弾性接触片３０において働くと、結局、接続部１１は７つの方向全てに均等な接触圧で押圧されることとなり、その結果、雄端子１０は、挿入方向が傾くことなく（こじれることなく）、本体部２３の奥方に挿入される。
【００４２】
接続部１１の挿入が進み、角筒部２５内の正規位置まで挿入されると、接続部１１は、弾性接触片３０の各接点部３２により弾性的に挟持される。これにより、雄雌の端子１０，２０間が電気的に接続される（図３参照）。このとき、７つの接点部３２は各弾性接触片３０の前後方向における同位置に設けられており、しかも、接続部１１に対して７つの方向すべてにおいて均等な接触圧で押圧しているから、接続部１１は本体部２３の中央に安定的に保持される。
【００４３】
このように、本実施形態の雌端子２０によれば、弾性接触片３０は一体に設けられた角筒部２５の内部に配置されているので、弾性接触片３０を保護するカバーを別体で設ける必要がなく、部品点数が少なくてすむ。また、拡張部３４の先端は弾性接触片３０の折り返し部３１より前方側まで延びているので、雌端子２０の前方側から機器や相手側端子が嵌合方向とは異なる方向から当てられた場合でも、弾性接触片３０の折り返し部３１を保護し、変形を防ぐことができる。
【００４４】
また、雌端子２０は一枚の金属板を曲げ加工することにより形成されており、折り曲げ方向の端部同士を係止部２６により係止する簡単な構成であるので、容易に製造可能である。さらに、曲げ加工は寸法管理が容易であるから、接触圧の調整が容易であり、表面のめっきが剥がれ難い多接点型端子とすることができる。
【００４５】
＜実施形態２＞
次に、実施形態２について、図４ないし図８を参照しつつ詳細に説明する。なお、以下において実施形態１と同様の構成には同一符号を付すこととし、重複する説明を省略する。
【００４６】
本実施形態の雌端子４０は、図４および図５に示すように、電線３８に接続される電線接続部４１と、雄端子１０の接続部１１に接続される本体部４３とが、繋ぎ部４２を介して前後に連なった形態をなしている。
【００４７】
本体部４３は、略八角筒状をなす角筒部４５と、角筒部４５の前方側の端縁から前方に向けて延出されるとともに内側に折り返された８つの弾性接触片５０とを有してなる。
【００４８】
角筒部４５は、図８に示すような展開形状に打ち抜かれた平坦な金属板を、プレス成型機により断面略八角形状に曲げ加工することで、略八角筒状に形成されている（図７参照）。その曲げ方向の両端縁は、一端側から延出して設けられた係止片４７と、他端側に外側に向けて突設された係止凸部４８とからなる係止部４６により互いに係止され、開き止めされている。
【００４９】
以下、略八角筒状の角筒部４５の８つの各側壁を、係止片４７が設けられた側壁から順に４５Ａ，４５Ｂ，４５Ｃ，４５Ｄ，４５Ｅ，４５Ｆ，４５Ｇ，４５Ｈとして説明する。
【００５０】
本実施形態において角筒部４５は、図８に示すように、前後方向の長さが異なる２種類の側壁から構成されている。具体的には、側壁４５Ａ，４５Ｃ，４５Ｅ，４５Ｇは第１側壁４５１であり、側壁４５Ｂ，４５Ｄ，４５Ｆ，４５Ｈは、第１側壁４５１より前後方向の長さが長い第２側壁４５２である。第１側壁４５１および第２側壁４５２の幅寸法（図８における上下方向の寸法）は、同等とされている。角筒部４５は、これら第１側壁４５１および第２側壁４５２が、それらの後端位置を同一直線上に揃えた状態で交互に配置されることにより、展開状態において略櫛形に形成されている。
【００５１】
角筒部４５の各側壁４５Ａ〜４５Ｈの中央付近には、内側に向けて突出する規制突部４９が切り起こし形成されている（図５参照）。すなわち、第１側壁４５１（側壁４５Ａ，４５Ｃ，４５Ｅ，４５Ｇ）に形成された第１規制突部４９１は、第２側壁４５２（側壁４５Ｂ，４５Ｄ，４５Ｆ，４５Ｈ）に形成された第２規制突部４９２よりも後方側に設けられており、互いに前後方向にずれて配置されている（図８参照）。
【００５２】
一方、８つの弾性接触片５０は、図８に示す展開状態において、角筒部４５の各側壁４５Ａ〜４５Ｈの前端縁から前方側に向けて延出形成されている。弾性接触片５０の幅寸法は、第１側壁４５１および第２側壁４５２の幅寸法の約１／２とされており、各側壁４５Ａ〜４５Ｈの幅方向における中央部から延出されている。
【００５３】
８つの弾性接触片５０は、前後方向の長さ寸法および幅寸法が、全て同寸法とされている。すなわち、第１側壁４５１（側壁４５Ａ，４５Ｃ，４５Ｅ，４５Ｇ）から延出された第１弾性接触片５０１は、第２側壁４５２（側壁４５Ｂ，４５Ｄ，４５Ｆ，４５Ｈ）から延出された第２弾性接触片５０２より後方側にずれて配置されている。
【００５４】
角筒部４５の前端縁のうち、図８に示す展開状態において隣り合う弾性接触片５０（第１弾性接触片５０１および第２弾性接触片５０２）の各延出部（基端部）間には、前方側に向けて延びる拡張部５４（全７つ）が設けられている。これら７つの拡張部５４の前端縁は、全て同一線上に配置されている。より詳細には、一の拡張部５４とその隣の弾性接触片５０との間に設けられるスリット５５の長さは、拡張部５４の両側で異なっており、第１側壁４５１側に位置する第１スリット５５１の長さは、第２側壁４５２側に位置する第２スリット５５２の長さよりも長くなっている。このようにスリット５５の長さが異なることで、第１弾性接触片５０１および第２弾性接触片５０２が前後方向において異なる位置に配置されるようになっている。
【００５５】
なお、展開状態における角筒部４５の、曲げ方向の両側縁の前端縁には、拡張部５４は設けられていない。代わりに、一方側は、係止片４７が角筒部４５（側壁４５Ａ）より前方側に延出形成されることにより、この係止片４７が、組み立て状態において拡張部５４と同様の作用を呈するようになっている。なお、係止片４７の前端縁は、拡張部５４の前端縁より後方側に配置されている。また、係止片４７の幅寸法は、拡張部５４の幅寸法よりも大きく設定されている。
【００５６】
角筒部４５は、これら拡張部５４において前後方向に沿って折り曲げられ（図８の点線）、略八角筒状とされる（図７参照）。
【００５７】
弾性接触片５０は、図５に示すように、各側壁４５Ａ〜４５Ｈからの延出基端部から前方側に所定距離Ｌを隔てた位置において、角筒部４５の内側に向けて折り返されてなる（折り返し部５１とする）。すなわち、第１弾性接触片５０１の折り返し部５１１と第２弾性接触片５０２の折り返し部５１２とは、前後方向にずれて配置されている。これら折り返し部５１は、拡張部５４の前端より後方側に位置するように設定されている。
【００５８】
弾性接触片５０は、図５に示すように、折り返し部５１によって内側に向けて折り返された後、先端側（後方側）に向けて斜め内側に延びるとともに、先端部が斜め外側に向けて延びるように屈曲した形状とされており、内側に最も膨出した部分が、雄端子１０の接続部１１に点接触する接点部５２とされている。
【００５９】
８つの各弾性接触片５０の屈曲形状は、全て同形状とされている。すなわち、第１弾性接触片５０１の第１接点部５２１は、第２弾性接触片５０２の第２接点部５２２よりも後方側に配置されている。また、これらの各接点部５２は、各弾性接触片５０の各規制突部４９よりも後方側に位置するように設定されている。さらに、各弾性接触片５０の先端部（後方側の端部）は、角筒部４５の後端より前方側に位置するように設定されている。
【００６０】
また、側壁４５Ｃ，４５Ｄ，４５Ｅの後端縁からは、繋ぎ部４２が延出されているとともに、繋ぎ部４２の後端縁からは、平板状の電線接続部４１が後方に向けて延出形成されている（図４参照）。繋ぎ部４２と電線接続部４１とは同幅とされている。電線３８は、電線接続部４１に対して溶着されるようになっている。
【００６１】
このように電線３８を電線接続部４１に対して溶着する構成とした場合には、実施形態１のように圧着させる構成と比較して、多接点型端子の板厚を薄くすることができる。また、板厚が薄くなることにより、弾性接触片５０の折り返し部５１の曲率Ｒ（曲率半径をｒとした場合の１／ｒで定義される値）を大きくすることが可能となり、多接点型端子の小型化を図ることができる。
【００６２】
本実施形態の雌端子４０は上記構成であって、次に、雄端子１０と雌端子４０との接続動作および作用効果について説明する。
【００６３】
電線３８に接続された雌端子４０に雄端子１０の接続部１１を挿入すると、接続部１１は、全ての弾性接触片５０を外側に向けて弾性変位させつつ、まず、第２接点部５２２の間に割って入る。この時接続部１１は、主に、互いに直交する２本の対称軸Ａ２（図７参照）上に配された４つの第２接点部５２２により弾性的に挟持された状態となる。
【００６４】
さらに接続部１１を奥方に挿入すると、接続部１１は、第１接点部５２１の間に割って入る。そして接続部１１が角筒部４５内の正規位置まで挿入されると、接続部１１の先端側は、互いに直交する２本の対称軸Ａ１（図７参照）上に配された４つの第１接点部５２１によって挟持された状態となる。これにより、雄雌の端子１０，４０間が電気的に接続される。なお、対称軸Ａ１とＡ２とは、図７に示すように、周方向に４５度ずれた位置に配されている。
【００６５】
すなわち、接続部１１は、先端側（後方側）が４つの第１接点部５２１により挟持されるとともに、基端側（前方側）が、第１接点部から４５度ずれた個所にある４つの第２接点部５２２により挟持された状態となる。
【００６６】
このように本実施形態の雌端子４０によれば、上記実施形態１と同様の作用効果に加え、以下の作用効果が得られる。すなわち、雄端子１０の接続部１１を、その先端側においては第１接点部５２１により挟持するとともに、基端側においては第２接点部５２２により挟持しているから、前後方向の異なる位置において、かつ、周方向の異なる位置において、本体部４３内に保持することができる。しかも、弾性接触片５０は全て同寸法かつ同形状とされているので、全ての接点部５２において、雄端子１０に対する接触圧を均等にすることができる。すなわち、両端子間の傾き（こじり）が発生し難くなるから、端子表面のめっきがより剥がれ難く、耐久性に優れる多接点型端子を提供することができる。
【００６７】
また、雄端子１０の接続部１１を雌端子４０に挿入する際、接点部５２間に割って入る際に最も挿入抵抗が大きくなるが、本実施形態の雌端子４０によれば、８つの接点部５２が前後方向に分散されて配置されているから、挿入抵抗が小さくなり、接続時の作業性が向上する。
【００６８】
さらに、本実施形態のように角筒部４５を偶数の多角形状とした場合には、弾性接触片５０が角筒部４５の径方向において対向した状態となるので、奇数の多角形状とする場合と比較して接点部５２間の距離の管理が容易となり、より製造し易くなる。
＜他の実施形態＞
本発明は上記記述及び図面によって説明した実施形態に限定されるものではなく、例えば次のような実施形態も本発明の技術的範囲に含まれる。
【００６９】
（１）上記実施形態では、弾性接触片３０、５０は、角筒部２５、４５の前端縁から延出する構成としたが、後端縁から延出し、前方に向けて折り返す構成としてもよい。
【００７０】
（２）上記実施形態では、雌端子２０、４０の角筒部２５、４５は、その折り曲げ方向の端縁同士を係止部２６、４６により開き止めする構成としたが、必ずしもこのような構成でなくてもよく、例えば溶接等により開き止めしてもよい。
【００７１】
（３）上記実施形態では、一の弾性接触片３０、５０の基端部に隣接して設ける拡張部３４、５４を、隣り合う弾性接触片３０、５０の拡張部３４、５４と兼用して、互いに隣り合う弾性接触片３０、５０の間にひとつずつ設ける構成としたが、各弾性接触片３０、５０毎に設ける構成、すなわち、互いに隣り合う弾性接触片３０、５０の間に２つずつ設ける構成としてもよい。
【００７２】
（４）また、拡張部３４，５４は必ずしも設けなくてもよく、省略することもできる。
【００７３】
（５）上記実施形態では、角筒部２５、４５の複数の側壁の全てから弾性接触片３０、５０を延出する構成としたが、選択した側壁のみから延出する構成としてもよい。
【００７４】
（６）上記実施形態では、略七角筒状、および、略八角筒状の角筒部２５、４５を示したが、角筒部は三角筒以上の多角筒状であればよい。
【００７５】
（７）上記実施形態１では、各接点部３２を前後方向における同位置に設け、実施形態２では各接点部５２を前後方向における２箇所に設ける構成を示したが、前後方向における３箇所以上に設ける構成としてもよい。
【符号の説明】
【００７６】
１０…雄端子（相手側端子）
２０、４０…雌端子（多接点型端子）
２５、４５…角筒部
２５Ａ〜２５Ｇ，４５Ａ〜４５Ｈ…側壁
２６、４６…係止部
２７、４７…係止片
２８、４８…係止凸部
３０、５０…弾性係止片
３１、５１…折り返し部
３４、５４…拡張部
【図１】
2015099698.tif 000003
【図２】
2015099698.tif 000004
【図３】
2015099698.tif 000005
【図４】
2015099698.tif 000006
【図５】
2015099698.tif 000007
【図６】
2015099698.tif 000008
【図７】
2015099698.tif 000009
【図８】
2015099698.tif 000010